(57)【要約】【課題】金融機関、証券会社等の窓口端末等において、ポインティングデバイス操作が不要な業務プログラムの実行中はポインティングデバイスの動作を抑制する。【解決手段】ポインティングデバイスに供給する電源をソフト制御によりオンオフできる構成、或いはポインティングデバイスが収納された状態を検知できる構成、或いはポインティングデバイスを収納する収納部を収納或いはイジェクト制御できる構成とし、通常の業務アプリケーションを実行する際、ポインティングデバイスの動作を抑制する。【選択図】      図１
2004234312.tif 000002
【特許請求の範囲】
【請求項１】
ポインティングデバイスの動作を抑制することが可能な制御部を設け、
通常業務を実行するときは、ポインティングデバイスの動作を抑制することを特徴とする端末装置。
【請求項２】
前記制御部の抑制手段として、ポインティングデバイスへの電源供給を抑制することを特徴とする請求項１記載の端末装置。
【請求項３】
前記制御部の抑制手段として、ポインティングデバイスのポインティング信号の送受信を抑制することを特徴とする請求項１記載の端末装置。
【請求項４】
ポインティングデバイスを収納する容器と、当該容器の収納状態を検知するセンサを有する収納部を設け、
当該センサによりポインティングデバイスが収納されていないと検知されたときは、通常業務を実行しないように制御することを特徴とする端末装置。
【請求項５】
収納可能なポインティングデバイスの操作部と、
前記操作部を収納或いは露出する駆動部を設け、
通常業務を実行するときは、前記操作部を収納することを特徴とする端末装置。
【請求項６】
前記操作部の収納状態を検知するセンサを設け、
当該センサによりポインティングデバイスが収納されていないと検知されたときは、通常業務を実行しないように制御することを特徴とする請求項５記載の端末装置
【発明の詳細な説明】
【０００１】
【発明の属する技術分野】
本発明は、金融機関、証券会社等の窓口端末等において、例えばポインティングデバイスによる操作を必要としない通常業務プログラムの動作中はポインティングデバイスの使用を抑制することが可能な端末装置に関するものである。
【０００２】
【従来の技術】
金融機関向けの一般的な窓口端末装置の外観図を図１３に示す。同図に示したように金融機関向け窓口端末装置５０は、通帳や証書等の印字や磁気ストライプデータの書込みや読出しを行う通帳証書印字部１０、操作者が必要情報を入力するキーボード部１１、ポインティングデバイスとしてのマウス部１２、業務操作画面等を表示する表示部１３、そして装置内部に配置され窓口端末装置５０の全ての制御を行う制御部２１から構成される。
【０００３】
そして、前記制御部２１は、図１４に示したようにＨＤＤ、ＦＤＤ等のファイル部７、回線制御部８、電源部９、そして主制御部２０から構成され、主制御部２０は、ＣＰＵ１、チップセット２、メモリ３、ＬＣＤ等の表示制御を行うＬＣＤＣ部４、キーボード、マウス等の制御を行うＫＢＣ部５から構成されている。そして、前述の通帳証書印字部１０、キーボード部１１、マウス部１２、表示部１３が制御部２１内の主制御部２０のチップセット２やＫＢＣ部５、ＬＣＤＣ部４に同図のように接続されている。
【０００４】
以上の構成により、従来の窓口端末装置は、ＣＰＵ１の制御に基づきファイル部７に格納した各種業務プログラムの中から操作者が選択した業務プログラムを読出し、表示部１３に当該業務内容を表示し、キーボード部１１、マウス部１２により顧客データ、取引データ等を入力し、処理を行い、処理された業務データを回線制御部８を介してセンタ等に送信していた。
【０００５】
【特許文献１】
特開２００１−２１６４５４号公報
【０００６】
【発明が解決しようとする課題】
しかしながら、従来の窓口端末装置では、操作者により選択される通常業務として利用する業務プログラムがマウスの使用を前提としていない場合、予期しないマウス操作によりオペレーションシステム（以下、「ＯＳ」という）の設定などが可能となってしまい、意識的或いは無意識的にＯＳの設定が変更され、窓口端末装置が誤動作する場合があった。また、選択された業務プログラムの表示ウィンドウをマウス操作により別の表示ウィンドウに切替えてしまうと、キーボード入力するウィンドウのフォーカスが別のウィンドウに移ってしまい、キー入力することができなくなるという問題があった。
【０００７】
また、上記問題を解決するために、マウスドライバをカスタマイズし、マウスの使用を前提としていない業務プログラムの動作中は、マウスからのポインティングデータを禁止するようにすることも可能であるが、この場合、標準のマウスドライバが使用できなくなるという問題があり、またその制御が複雑になるためプログラムバグを誘発する要因にもなっていた。
【０００８】
【課題を解決するための手段】
本発明は、前述の課題を解決するため以下の構成を採用する。すなわち、ポインティングデバイスの動作を抑制することが可能な制御部を設け、通常業務を実行するときは、ポインティングデバイスの動作を抑制するようにした。
【０００９】
或いは別の手段としてポインティングデバイスを収納する容器と、当該容器の収納状態を検知するセンサを有する収納部を設け、前記センサによりポインティングデバイスが収納されていないと検知されたときは、通常業務を実行しないようにした。
【００１０】
さらに別の手段として、収納可能なポインティングデバイスの操作部と、前記操作部を収納或いは露出する駆動部を設け、通常業務を実行するときは、前記操作部を収納するようにした。
【００１１】
【発明の実施の形態】
以下、本発明に係る実施の形態例を図面を用いて説明する。なお図面に共通する要素には同一の符号を付す。
【００１２】
《第１の実施形態例》
（構成）
第１の実施形態例の端末装置は、図１３に示したように通帳や証書の印字や磁気ストライプデータの書込みや読出しを行う通帳証書印字部１０、操作者が必要情報を入力するキーボード部１１、ポインティングデバイスとしてのマウス部１２、業務操作画面等を表示する表示部１３、そして装置内部に配置され端末装置の制御を行う制御部２１から構成される。
【００１３】
そして、前記制御部２１は、図１に示したようにＨＤＤ、ＦＤＤ等のファイル部７、回線制御部８、電源部９、そして主制御部２０から構成され、主制御部２０は、ＣＰＵ１、チップセット２、メモリ３、ＬＣＤ等の表示制御を行うＬＣＤＣ部４、キーボード、マウス等の制御を行うＫＢＣ部５から構成されている。そして、通帳証書印字部１０がチップセット２に接続され、キーボード部１１がＫＢＣ部５に接続され、マウス部１２が電源切替部３０を経由しＫＢＣ部５に接続されており、当該電源切替部３０への電源５ＶＣがマウス電源制御部３１から接続されており、表示部１３が主制御部２０のＬＣＤＣ部４に接続されている。前記マウス電源制御部３１は、ＣＰＵ１のチップセットのバス（以下、「ＣＰＵバス」という）に接続された構成となっている。
【００１４】
さらに、前記電源切替部３０、マウス電源制御部３１は図２に示したような構成となっている。すなわち、マウス電源制御部３１は、Ｉ／Ｏポート、トランジスタＴＲ１、ＴＲ２から構成され、ＣＰＵ１からの命令によりＣＰＵバスを経由してＩ／Ｏポートの１つの出力を”１”にセットすることによりトランジスタＴＲ１、ＴＲ２がオンし、５ＶＣに略５Ｖを供給する構成となっている。
【００１５】
一方、電源切替部３０は、主制御部２０から供給されるマウス用の電源５ＶＡをａ部のように切断し、電源５ＶＡの代わりに前記５ＶＣ電源をマウス部１２に供給する構成となっている。なお、マウス部１２への信号線３０ａは、主制御部２０のＫＢＣ部５に接続する構成となっている。
【００１６】
（動作）
以上の構成により、第１の実施形態例の端末装置は、以下のように動作する。図３の動作フローチャートを用いて以下詳細に説明する。
【００１７】
まず、端末装置の電源をオンとするとＯＳは、ＣＰＵ１の命令によりマウス電源制御部３１のトランジスタＴＲ１、ＴＲ２をオンし、マウス部１２に電源５ＶＣを供給した後（ステップＳ１）、マウス部１２が接続されていることを認識し（ステップＳ２）、業務アプリケーションを起動する（ステップＳ３）。
【００１８】
そして、ＣＰＵ１の命令によりマウス電源制御部３１のトランジスタＴＲ１、ＴＲ２をオフすることにより５ＶＣをオフしマウス操作を停止し（ステップＳ４）、ＬＣＤＣ部４の制御により業務選択画面を表示部１３に表示して業務選択処理に移行する（ステップＳ５）。ここで、マウス操作を停止した場合は、その旨操作者に表示或いはブザー等で通知することにより操作性が向上する。
【００１９】
そして、業務選択画面に従い操作者が所望の業務を選択すると、選択された業務プログラム（以下、単に「業務」という）がマウスを使用する業務か否かを判定し（ステップＳ６）、マウスを使用しない通常業務を選択した場合は、５ＶＣをオフしたままとし選択した業務を実行させ（ステップＳ７）、マウスを使用する業務を選択した場合は、例えばブラウザを使用してインターネット情報を表示する業務を選択した場合は、５ＶＣをオンしマウス操作を有効とし（ステップＳ８）、選択業務を実行させる（ステップＳ９）。ここで、マウスを使用するか否かの判定は、各業務プログラムのヘッダ部等にマウスを使用するか否かの情報を格納して置き、これを読出し判断してもよいし、予め各業務プログラムに対応したマウス使用／否の情報テーブルを別途設け、これを読出し判定するようにしてもよい。
【００２０】
そして、当該選択した業務を終了した後、業務アプリケーションを終了するかどうかを判断し（ステップＳ１０）、業務アプリケーションを継続する場合は、ステップＳ４に戻り、５ＶＣを一旦オフしマウス動作を停止させた後（ステップ４）、業務選択画面を表示し（ステップ５）、ステップＳ６以降の処理を同様に行う。
【００２１】
一方、業務アプリケーションを終了する場合は、一旦５ＶＣをオフしマウス動作を停止させた後、回線制御部８を介してセンタへ業務データを送受信する等の業務アプリケーション終了処理を行い（ステップＳ１１）、端末装置の電源をオフし終了する。
【００２２】
（第１の実施形態例の効果）
以上詳細に説明したように、第１の実施形態例の端末装置によれば、マウスに供給する電源をオンオフ制御する構成としたので、マウスを使用しない通常の業務アプリケーションにおいて、確実にマウス動作を停止することができるとともに、簡単な制御でマウス動作を停止することができるのでプログラムバグ等の発生も防止することができ、また標準のマウスドライバをも使用することができる。
【００２３】
《第２の実施形態例》
第２の実施形態例の端末装置は、マウスを所定の位置にセットしないと通常業務を実行できないようにしたものである。
【００２４】
（構成）
第２の実施形態例の端末装置の構成は第１の実施形態例の端末装置の構成とは、マウスセット検出部、マウス収納部等の構成が異なり、他は同様であるので簡略化のために同一の構成については説明を省略する。
【００２５】
第２の実施形態例の端末装置は、図４に示したようにマウスセット検出部４１がＣＰＵバスに接続され、当該マウスセット検出部４１にマウス収納部３２のマウスセットスイッチ３３が接続された構成となっている。
【００２６】
そして、前記マウスセット検出部４１は図５に示したような回路構成となっている。すなわち、信号線３３ｂがＩ／Ｏポートの入力ポートの１つに接続され、５Ｖに接続された抵抗Ｒ１の一端に接続され、そしてマウス収納部３２のマウスセットスイッチ３３に接続されている。そして、マウスセットスイッチの一端がマウスセット検出部４１の０Ｖに接続された構成となっている。
【００２７】
以上のような構成にすることによりＣＰＵ１はマウスセットスイッチ３３のオンオフの状態を読取ることができる。すなわち、マウスセットスイッチ３３がオンの場合は、信号線３３ｂは０Ｖとなり、マウスセットスイッチ３３がオフの場合は、抵抗Ｒ１を経由し接続された５Ｖにより５Ｖとなる。
【００２８】
また、前記マウス収納部３２、マウス部１２は、図６に示したような構成となっている。図示していないが、マウス部１２の下部にはマイクロスイッチ等からなるマウスセットスイッチ３３が配置されておりマウス部１２をセットすることによりマウスセットスイッチ３３がオンとなるように配置されている。勿論、マウスセットスイッチ３３をマイクロスイッチではなく、受発光ダイオードのような光学的なセンサによりマウスの収納を検出する構成としてもよい。なお、本例では有線タイプのマウスの例を示しているので図中マウス線１２ａがあるが、赤外線等の無線により送受信する場合は１２ａは不要となる。
【００２９】
（動作）
以上の構成により、第２の実施形態例の端末装置は、以下のように動作する。図７の動作フローチャートを用いて以下詳細に説明する。
【００３０】
まず、端末装置の電源をオンとするとＯＳは、マウス部、キーボード等の各デバイスの接続を確認した後、業務アプリケーションを起動する（ステップＳ２１）。
【００３１】
そして、業務選択画面を表示部１３に表示し、業務選択処理に移行し（ステップＳ２２）、操作者に業務を選択させる。操作者により業務選択が行われると、選択された業務がマウスを使用する業務かどうかの判定を行う（ステップＳ２３）。
【００３２】
選択された業務がマウスを使用する業務であった場合、そのまま選択業務を実行し（ステップＳ２４）、選択業務を終了したとき、業務アプリケーションを終了するか否かを判定し（ステップＳ２５）、業務を継続する場合は、ステップＳ２２の業務選択画面表示に戻り、以降の処理を同様に行う。一方、業務を終了する場合は、後述の業務終了処理（ステップＳ３０）に移行し、装置の電源をオフして終了とする。
【００３３】
ステップＳ２３にてマウスを使用しない通常の業務を選択した場合は、マウス部１２が定位置にあるかどうかを、前記マウスセットスイッチ３３のオンオフを信号線３３ｂの状態を読取ることにより判定する（ステップＳ２６）
【００３４】
マウスセットスイッチ３３がオフとなっており、マウスが定位置にない場合は、マウスを使用することを予定としていない通常業務を実行すると誤動作する可能性があるため、マウス部１２をマウス収納部３２に格納しないと選択業務を実行することができない旨のメッセージを表示し、業務選択画面表示のステップＳ２１に戻る（ステップＳ２７）。或いは、フローチャートには示していないが、前記メッセージを表示し一定時間マウスセットの状態を監視し、マウス部１２がマウス収納部３２にセットされたときは、選択業務を実行し、選択業務終了後、ステップ２９に移行するようにしてもよい。
【００３５】
一方、マウスセットスイッチ３３がオンとなっている場合は、マウス部１２が定位置にあると判定し、選択業務を実行する（ステップＳ２８）。
【００３６】
選択業務が終了した後、業務アプリケーションを終了するかどうかを判定し（ステップＳ２９）、業務アプリケーションを継続する場合は、ステップＳ２２に戻り、業務選択画面を表示し、以降の処理を同様に行う。
【００３７】
一方、業務アプリケーションを終了する場合は、回線制御部８を介してセンタへ業務データを送受信する等の業務アプリケーション終了処理を行った後（ステップＳ３０）、端末装置の電源をオフし終了する。
【００３８】
（第２の実施形態例の効果）
以上詳細に説明したように、第２の実施形態例の端末装置によれば、マウス部１２を収納するマウス収納部を設け、マウスの収納を確認できる構成としたので、マウスが収納され使用できない状態であるときのみ、マウスを使用しない通常業務を実行するようにすることができる。また、マウス部１２への電源供給を常に行った状態で、マウスを使用しない通常業務の実行を抑制できるので、マウスの電源オンオフ切替時のマウスの誤動作による業務への影響も回避することができる。
【００３９】
《第３の実施形態例》
第３の実施形態例の端末装置ではマウスを所定の操作部の上で使用する形態とし、マウスを使用するときのみ操作部を開放できる構成としたものである。
【００４０】
（構成）
第３の実施形態例の端末装置の構成は第２の実施形態例の端末装置の構成とは、マウスイジェクト制御部、マウスイジェクトモータの構成が異なり、他は同様であるので簡略化のために同一の構成については説明を省略する。
【００４１】
第３の実施形態例の端末装置は、図８に示したようにマウスイジェクト制御部５１がＣＰＵに接続された構成となっており、マウスイジェクト制御部５１にマウス収納スイッチ５３及びマウスイジェクトモータ５４が接続された構成となっている。
【００４２】
そして、前記マウスイジェクト制御部５１は、図９に示したような構成となっている。すなわち、信号線５３ｂがＩ／Ｏポートの入力ポートの１つに接続され、５Ｖに接続された抵抗Ｒ１に接続され、マウス収納スイッチ５３に接続されている。そして、マウス収納スイッチ５３の一端がマウスイジェクト制御部５１の０Ｖに接続された構成となっている。また、Ｉ／Ｏポートの出力の１つにモータ駆動部５２が接続され、モータ駆動部５２の出力がマウスイジェクトモータ５４に接続された構成となっている。
【００４３】
マウス収納部５５、マウス部１２は図１０に示したような構成となっている。図示していないが、マウス収納部５５の左奥には例えばマイクロスイッチ等からなるマウス収納スイッチ５３が配置されており、マウス収納部５５をマウスイジェクトモータ５４によりＡ方向に駆動し、収納した場合はマウス収納スイッチ５３がオンとなり、マウス収納部５５をイジェクトした場合はオフするようになっている。これによりＣＰＵ１はマウス収納部５５の状態を読取ることができる。
【００４４】
或いは、図１１に示したようにキーボード１１の近傍にマウス収納部５５ａを設け、マウス部１２をシャッタ５６で覆う構成とし、シャッタ５６をマウスイジェクトモータ５４によりスライドさせ、シャッタ５６を開放しマウスを使用できる状態、及びシャッタ５６を閉じマウスを使用できなくした状態とし、これらの状態を例えばマイクロスイッチ等で検出できる構成としている。
【００４５】
（動作）
以上の構成により、第３の実施形態例の端末装置は、以下のように動作する。図１２の動作フローチャートを用いて以下詳細に説明する。
【００４６】
まず、端末装置の電源をオンとするとＯＳは、マウス部、キーボード等の各デバイスの接続を確認した後、業務アプリケーションを起動する（ステップＳ４１）。そして、業務選択画面を表示し、操作者に業務選択を行わせる（ステップＳ４２）。操作者が所望の業務を選択すると、選択された業務がマウスを使用する業務かどうかの判定を行う（ステップＳ４３）。
【００４７】
マウスを使用する業務であった場合は、マウス収納部５５または５５ａを開放し（ステップＳ４４）、選択業務を実行する（ステップＳ４５）。そして選択業務終了後、マウスイジェクトモータ５４を駆動しマウス収納部５５を収納、またはマウス収納部５５ａをシャッタ５６にて遮断した後、業務アプリケーション終了か否かを判定し（ステップＳ４７）、業務アプリケーションを継続する場合は、ステップＳ４２の業務選択画面表示に戻り、以降の処理を同様に行う。一方、業務アプリケーションを終了する場合は、後述の業務アプリケーション終了処理（ステップＳ５２）に移行し、装置の電源をオフして終了とする。
【００４８】
ステップＳ４３にてマウスを使用しない通常業務を選択した場合は、マウス部１２がマウス収納部５５に収納、或いはマウス収納部５５ａをシャッタ５６にて遮断しているかどうか、すなわち前記マウス収納スイッチ５３のオンオフを信号線５３ｂの状態を読取ることにより確認する。（ステップＳ４８）
【００４９】
マウス収納スイッチ５３がオフとなっており、マウス格納部５５がイジェクト、或いはマウス収納部５５ａのシャッタ５６が開放され、マウスが使用できる状態となっていると判断した場合は、マウスを使用することを予定していない業務アプリケーションを実行すると誤動作の可能性があるので、マウス収納部５５を収納、或いはマウス収納部５５ａのシャッタ５６を遮断しないと選択業務を実行することができない旨のメッセージを表示し、業務選択画面表示のステップＳ４２に戻る（ステップＳ４９）。或いは、フローチャートには示していないが、マウス収納部５５を強制的に収納、或いはマウス収納部５５ａのシャッタ５６を強制的に遮断した後、選択業務を実行し、選択業務終了後、ステップ５１に移行する。
【００５０】
一方、マウス収納スイッチ５３がオンとなっており、マウス収納部５５が収納、或いはマウス収納部５５ａのシャッタ５６が遮断され、マウスが使用できない状態となっていると判断した場合は、選択業務を実行する（ステップＳ５０）。
【００５１】
そして、選択業務が終了した後、業務アプリケーションを終了するかどうかを判定し（ステップＳ５２）、業務アプリケーションを継続する場合は、ステップＳ４２に戻り、業務選択画面を表示し、以降の処理を同様に行う。
【００５２】
一方、業務を終了する場合は、回線制御部８を介してセンタへ業務データを送受信する等の業務アプリケーション終了処理を行った後（ステップＳ５２）、端末装置の電源をオフし終了する。
【００５３】
（第３の実施形態例の効果）
以上詳細に述べたように、第３の実施形態例の端末装置によれば、マウス操作を行うマウス収納部を収納或いは遮断する制御を行うことにより、マウスを使用する業務の場合のみ、マウス収納部を開放するようにすることができるので、マウスを使用しない通常業務の実行において、確実にマウス操作を阻止することができる。
【００５４】
《その他の変形例》
（１）実施形態例の端末装置の説明では、ポインティングデバイスとしてマウスを使用した例を示したが、トラックボールやペン型マウス等を使用する場合でも本発明を適用できる。
【００５５】
（２）また、第１の実施形態例の端末装置では、マウスに供給する電源のオンオフ制御する例を示したが、例えば赤外線等による無線マウスなどでは、赤外線発光の電源をオンオフするようにしてもよい。或いは、有線にて接続するマウスであっても、信号線を送受信部分いずれにおいてＭＯＳＦＥＴ等のスイッチング素子により接続するか否かを制御するようにしてもよい。
【００５６】
（３）また、実施形態例の端末装置の説明では、マウスを使用しない通常業務の場合にマウスを使用できないように制御する例を示したが、マウスを使用する業務においても例えば操作者がマウス使用に不慣れな場合を考慮し、操作者のスキルに応じてマウスを使用しない業務を選定し、マウスを使用できないように制御するようにしてもよい。
【００５７】
（４）また、実施形態例の端末装置の説明では、端末装置側でマウスを使用できないように制御する例を示したが、センタ側の上位装置が、ネットワーク等を介し各端末装置の選択業務やマウスの収納状態等を検出し、各端末装置のマウスの使用／否を制御するようにしてもよい。
【００５８】
【発明の効果】
以上詳細に述べたように、本発明の端末装置によれば、ポインティングデバイスの動作を抑制することが可能な制御部を設けたので、通常業務を実行するときは、ポインティングデバイスの動作を抑制することができるとともに、簡単な制御でマウス操作を無効とすることができるので端末装置を誤動作させることがない。
【図面の簡単な説明】
【図１】第１の実施形態例の端末装置のブロック図である。
【図２】第１の実施形態例のマウス電源制御手段の構成図である。
【図３】第１の実施形態例の動作フローチャートである。
【図４】第２の実施形態例の端末装置のブロック図である。
【図５】第２の実施形態例のマウスセット検出手段の構成図である。
【図６】第２の実施形態例のマウス収納部の外観図である。
【図７】第２の実施形態例の動作フローチャートである。
【図８】第３の実施形態例の端末装置のブロック図である。
【図９】第３の実施形態例のマウスイジェクト制御手段の構成図である。
【図１０】第３の実施形態例のマウス収納部の外観図（ａ）である。
【図１１】第３の実施形態例のマウス収納部の外観図（ｂ）である。
【図１２】第３の実施形態例の動作フローチャートである。
【図１３】端末装置の外観図である。
【図１４】従来の窓口端末装置のブロック図である。
【符号の説明】
１２            マウス部
３０            電源切替部
３１            マウス電源制御部
３３            マウスセットスイッチ
３３ｂ、５３ｂ  マウスセット信号線
４１            マウスセット検出部
５１            マウスイジェクト制御部
５３            マウス収納スイッチ
５４            マウスイジェクトモータ
５５、５５ａ    マウス収納部
５６            シャッタ
５ＶＣ          マウス用電源
【図１】
2004234312.tif 000003
【図２】
2004234312.tif 000004
【図３】
2004234312.tif 000005
【図４】
2004234312.tif 000006
【図５】
2004234312.tif 000007
【図６】
2004234312.tif 000008
【図７】
2004234312.tif 000009
【図８】
2004234312.tif 000010
【図９】
2004234312.tif 000011
【図１０】
2004234312.tif 000012
【図１１】
2004234312.tif 000013
【図１２】
2004234312.tif 000014
【図１３】
2004234312.tif 000015
【図１４】
2004234312.tif 000016